(57)【特許請求の範囲】
【請求項１】
インターネット上に存在するテキスト情報を解析してイベント情報を取得するイベント情報取得手段と、
前記イベント情報に基づいて、開催されるイベントを特定するイベント特定情報を抽出するイベント特定情報抽出手段と、
前記イベント特定情報を指定することにより、インターネットを介して、特定のウェブサイトから前記イベントに対応する追加情報を取得する追加情報取得手段と、
前記イベント情報と前記追加情報を用いて提案情報を作成して利用者に提供する提案情報提供手段と、
を備え、前記提案情報提供手段は、前記追加情報に対応するイベントの開催が複数回繰り返されており、前記追加情報に写真が含まれる場合であって、この写真が、今回開催されるイベントよりも古い前回以前のイベントに対応して撮影されたものである場合に、その旨が利用者にわかるよう提案情報の提供を行うことを特徴とするイベント情報提示装置。
【請求項２】
請求項１において、
前記追加情報には画像が含まれることを特徴とするイベント情報提示装置。
【請求項３】
請求項１または２において、
前記追加情報取得手段は、アプリケーション・プログラミング・インタフェースが用意されているウェブサイトから前記追加情報を取得することを特徴とするイベント情報提示装置。
【請求項４】
請求項１〜３のいずれか一項において、
前記追加情報取得手段は、ソーシャル・ネットワーキング・サービスを提供するウェブサイトから前記追加情報を取得することを特徴とするイベント情報提示装置。
【請求項５】
請求項１〜４のいずれか一項において、
前記イベント情報取得手段によって取得した複数の前記イベント情報の中から所定の選択条件を用いて一部のイベント情報を選択するイベント情報選択手段をさらに備え、
前記イベント特定情報抽出手段は、前記イベント情報選択手段によって選択されたイベント情報を対象に前記イベント特定情報の抽出を行うことを特徴とするイベント情報提示装置。
【請求項６】
請求項５において、
前記イベント情報選択手段は、イベントの開催日時を限定してイベント情報の選択を行うことを特徴とするイベント情報提示装置。
【請求項７】
請求項５または６において、
前記イベント情報選択手段は、利用者の現在位置または登録された住所に基づいてイベント情報の選択を行うことを特徴とするイベント情報提示装置。
【請求項８】
請求項５または６において、
前記イベント情報選択手段は、利用者が搭乗している車両の移動方向または移動の目的地に基づいてイベント情報の選択を行うことを特徴とするイベント情報提示装置。
【請求項９】
請求項５〜８のいずれか一項において、
前記イベント情報選択手段は、参加料金あるいは利用料金が所定金額以下のイベントに限定してイベント情報の選択を行うことを特徴とするイベント情報提示装置。
【請求項１０】
請求項１〜９のいずれか一項において、
利用者の趣味あるいは嗜好を特定する趣味・嗜好特定手段をさらに備え、
前記イベント情報取得手段は、前記趣味・嗜好特定手段によって特定された利用者の趣味あるいは嗜好に関連するイベント情報を取得することを特徴とするイベント情報提示装置。
【請求項１１】
請求項１〜１０のいずれか一項において、
前記提案情報提供手段によって提供された前記提案情報に対応するイベントの開催場所を示す位置情報を、この位置情報に対応する目的地までの走行経路に沿って車両の走行を案内するナビゲーション動作を行う車載機に向けて送信することを特徴とするイベント情報提示装置。
【請求項１２】
インターネット上に存在するテキスト情報を解析してイベント情報をイベント情報取得手段によって取得するイベント情報取得ステップと、
前記イベント情報に基づいて、開催されるイベントを特定するイベント特定情報をイベント特定情報抽出手段によって抽出するイベント特定情報抽出ステップと、
前記イベント特定情報を指定することにより、インターネットを介して、特定のウェブサイトから前記イベントに対応する追加情報を追加情報取得手段によって取得する追加情報取得ステップと、
前記イベント情報と前記追加情報を用いて提案情報を作成して提案情報提供手段によって利用者に提供する提案情報提供ステップと、
を有し、前記提案情報提供手段は、前記追加情報に対応するイベントの開催が複数回繰り返されており、前記追加情報に写真が含まれる場合であって、この写真が、今回開催されるイベントよりも古い前回以前のイベントに対応して撮影されたものである場合に、その旨が利用者にわかるよう提案情報の提供を行うことを特徴とするイベント情報提示方法。
【請求項１３】
コンピュータを、
インターネット上に存在するテキスト情報を解析してイベント情報を取得するイベント情報取得手段と、
前記イベント情報に基づいて、開催されるイベントを特定するイベント特定情報を抽出するイベント特定情報抽出手段と、
前記イベント特定情報を指定することにより、インターネットを介して、特定のウェブサイトから前記イベントに対応する追加情報を取得する追加情報取得手段と、
前記イベント情報と前記追加情報を用いて提案情報を作成して利用者に提供する提案情報提供手段と、
として機能させるためのイベント情報提示プログラムであって、
前記提案情報提供手段は、前記追加情報に対応するイベントの開催が複数回繰り返されており、前記追加情報に写真が含まれる場合であって、この写真が、今回開催されるイベントよりも古い前回以前のイベントに対応して撮影されたものである場合に、その旨が利用者にわかるよう提案情報の提供を行うイベント情報提示プログラム。
【発明の詳細な説明】
【技術分野】
【０００１】
本発明は、インターネットを介してイベント情報を取得して提示するイベント情報提示装置、方法およびプログラムに関する。
【背景技術】
【０００２】
従来から、インターネット上の情報源から利用者の好みや地理的位置を比較し、地理的に局在化した推薦を決定して利用者に提供するようにしたシステムが知られていた（例えば、特許文献１参照。）。この推薦として提供される写真は、推薦の内容に基づいた写真が選択されて用いられる。
【先行技術文献】
【特許文献】
【０００３】
【特許文献１】特表２０１４−５１０３２３号公報
【発明の概要】
【発明が解決しようとする課題】
【０００４】
ところで、特許文献１に開示されたシステムを用いることにより、特定のイベント情報を取得して利用者に提示することが可能となるが、インターネットを介して取得したイベント情報に含まれる写真等の画像については、そのイベント情報の一部を構成するものか（イベントの内容を示すものであるか）、あるいは、イベント情報とは直接関係のない広告等を目的とするものかを区別することが難しい。一般に、インターネット上の特定のウェブサイトのＡＰＩ（Application Programming Interface、アプリケーション・プログラミング・インタフェース）にアクセスしてこのウェブサイトからイベント情報を取得する場合には、イベント情報の提供元がイベント情報として提供したい写真等を用意するため、イベント情報に含まれる画像をそのまま用いて利用者に提供しても特に問題はないと考えられる。しかし、ＡＰＩが用意されていないウェブサイトから取得したイベント情報に含まれる画像は、上述した広告等であることも多く、そのままイベント情報として用いると、利用者に不要な情報を提供することになり、好ましくない。ＡＰＩが用意されていないウェブサイトについては、写真を含むイベント情報を取得するための個別のローダ（イベント情報取得用のプログラム）を各ウェブサイト毎に作成することも考えられるが、イベント情報の取得元となるウェブサイトの数が多い場合や、新規にウェブサイトが追加される場合を考えると、作業工数やコストの面からは現実的ではない。特に、一般の利用者が無料で利用可能なウェブサイトにはＡＰＩが用意されていない場合も多く、このようなウェブサイトを有効に利用して有用なイベント情報を確実に取得することができる手法が望まれている。
【０００５】
本発明は、このような点に鑑みて創作されたものであり、その目的は、インターネットを介して有用なイベント情報を利用者に提供することができるイベント情報提示装置、方法およびプログラムを提供することにある。また、本発明の他の目的は、ウェブサイト毎に個別のプログラムを作成する必要がなく、確実に、イベント情報を取得することができるイベント情報提示装置、方法およびプログラムを提供することにある。
【課題を解決するための手段】
【０００６】
上述した課題を解決するために、本発明のイベント情報提示装置は、インターネット上に存在するテキスト情報を解析してイベント情報を取得するイベント情報取得手段と、イベント情報に基づいて、開催されるイベントを特定するイベント特定情報を抽出するイベント特定情報抽出手段と、イベント特定情報を指定することにより、インターネットを介して、特定のウェブサイトからイベントに対応する追加情報を取得する追加情報取得手段と、イベント情報と追加情報を用いて提案情報を作成して利用者に提供する提案情報提供手段とを備えている。
【０００７】
また、本発明のイベント情報提示方法は、インターネット上に存在するテキスト情報を解析してイベント情報をイベント情報取得手段によって取得するイベント情報取得ステップと、イベント情報に基づいて、開催されるイベントを特定するイベント特定情報をイベント特定情報抽出手段によって抽出するイベント特定情報抽出ステップと、イベント特定情報を指定することにより、インターネットを介して、特定のウェブサイトからイベントに対応する追加情報を追加情報取得手段によって取得する追加情報取得ステップと、イベント情報と追加情報を用いて提案情報を作成して提案情報提供手段によって利用者に提供する提案情報提供ステップとを有している。
【０００８】
また、本発明のイベント情報提示プログラムは、コンピュータを、インターネット上に存在するテキスト情報を解析してイベント情報を取得するイベント情報取得手段と、イベント情報に基づいて、開催されるイベントを特定するイベント特定情報を抽出するイベント特定情報抽出手段と、イベント特定情報を指定することにより、インターネットを介して、特定のウェブサイトからイベントに対応する追加情報を取得する追加情報取得手段と、イベント情報と追加情報を用いて提案情報を作成して利用者に提供する提案情報提供手段として機能させる。
【０００９】
また、上述した追加情報には画像が含まれることが望ましい。
【００１０】
広くインターネット上に存在するイベント情報を取得した後、このイベント情報に基づいてイベントを特定し、さらに特定のウェブサイトを指定することにより、特定したイベントに対応する追加のイベント情報（追加情報）をこの特定のウェブサイトから取得することが容易となる。特に、画像取得の対象となるウェブサイトを限定（必ずしも１つである必要はない）することにより、広告などの有用でない画像等を排除することが容易になるため、インターネットを介して有用なイベント情報を利用者に提供することが可能となる。また、インターネット上に存在する多くのウェブサイト毎に個別のプログラムを作成する必要がなく、確実に、有用なイベント情報を取得することができる。
【００１１】
また、上述した追加情報取得手段は、アプリケーション・プログラミング・インタフェースが用意されているウェブサイトから追加情報を取得することが望ましい。アプリケーション・プログラミング・インタフェース（ＡＰＩ）が用意されたウェブサイトの場合には、利用者に提供するイベント関連の写真等が用意されていることが多いため、このようなウェブサイトから追加情報を取得することにより、確実にイベントに対応する写真等の有用なイベント情報を取得することが可能になる。
【００１２】
また、上述した追加情報取得手段は、ソーシャル・ネットワーキング・サービスを提供するウェブサイトから追加情報を取得することが望ましい。ソーシャル・ネットワーキング・サービス（ＳＮＳ）を提供するウェブサイトの場合には、第三者が投稿したイベント関連の写真等が広く公開されているため、このようなウェブサイトから追加情報を取得することにより、確実にイベントに対応する写真等を取得することが可能になる。
【００１３】
また、上述したイベント情報取得手段によって取得した複数のイベント情報の中から所定の選択条件を用いて一部のイベント情報を選択するイベント情報選択手段をさらに備え、イベント特定情報抽出手段は、イベント情報選択手段によって選択されたイベント情報を対象にイベント特定情報の抽出を行うことが望ましい。これにより、取得した多くのイベント情報の中から適宜選択して、厳選した提案情報を利用者に提供することが可能となる。
【００１４】
また、上述したイベント情報選択手段は、イベントの開催日時を限定してイベント情報の選択を行うことが望ましい。これにより、利用可能な日時に開催されるイベントについて、利用者に提案情報を提供することが可能となる。
【００１５】
また、上述したイベント情報選択手段は、利用者の現在位置または登録された住所に基づいてイベント情報の選択を行うことが望ましい。これにより、利用可能な場所で開催されるイベントについて、利用者に提案情報を提供することが可能となる。
【００１６】
また、上述したイベント情報選択手段は、利用者が搭乗している車両の移動方向または移動の目的地に基づいてイベント情報の選択を行うことが望ましい。これにより、車で行くことができるイベントについて、利用者に提案情報を提供することが可能となる。
【００１７】
また、上述したイベント情報選択手段は、参加料金あるいは利用料金が所定金額以下のイベントに限定してイベント情報の選択を行うことが望ましい。これにより、無料あるいは出費が少ないイベントについて、利用者に提案情報を提供することが可能となる。
【００１８】
また、利用者の趣味あるいは嗜好を特定する趣味・嗜好特定手段をさらに備え、イベント情報取得手段は、趣味・嗜好特定手段によって特定された利用者の趣味あるいは嗜好に関連するイベント情報を取得することが望ましい。これにより、利用者が行きたいと思う可能性が高いイベントについて提案情報を提供することが可能となる。
【００１９】
また、上述した提案情報提供手段は、追加情報に対応するイベントの開催が複数回繰り返されており、追加情報に写真が含まれる場合であって、この写真が、今回開催されるイベントよりも古い前回以前のイベントに対応して撮影されたものである場合に、その旨が利用者にわかるよう提案情報の提供を行う。これにより、古い写真しか入手できなかった場合に、利用者が最新の写真と勘違いすることを防止することができる。
【００２０】
また、上述した提案情報提供手段によって提供された提案情報に対応するイベントの開催場所を示す位置情報を、この位置情報に対応する目的地までの走行経路に沿って車両の走行を案内するナビゲーション動作を行う車載機に向けて送信することが望ましい。これにより、提案情報の提供を受けた利用者は、複雑な操作（例えば、提案情報を見ながら車載機にイベントの住所等を入力する操作など）を行うことなく、イベントの開催地に向けて車両を走らせることが可能となる。
【図面の簡単な説明】
【００２１】
【図１】一実施形態の携帯端末装置を含むイベント情報取得システムの全体構成を示す図である。
【図２】携帯端末装置の詳細構成を示す図である。
【図３】車載装置の詳細構成を示す図である。
【図４】携帯端末装置においてイベントに関する情報を取得して提案情報を提供するまでの動作手順を示す流れ図である。
【図５】提案情報の表示例を示す図である。
【図６】イベント情報を選択する変形例の動作手順を示す流れ図である。
【図７】車載機にイベントの開催場所を示す位置情報を送信する変形例の動作手順を示す流れ図である。
【発明を実施するための形態】
【００２２】
以下、本発明のイベント情報提示装置、方法およびプログラムを適用した一実施形態のイベント情報取得システムについて図面を参照しながら説明する。
【００２３】
図１は、一実施形態の携帯端末装置を含むイベント情報取得システムの全体構成を示す図である。本実施形態のイベント情報取得システムは、利用者が所持する携帯端末装置１と、この携帯端末装置１とネットワーク５を介して接続されるイベントサーバ２およびＳＮＳサーバ３とを含んで構成されている。また、携帯端末装置１は、必要に応じて車両に搭載された車載装置４と接続される。
【００２４】
携帯端末装置１は、インターネット接続器を有しており、インターネットを介してイベントに関する情報を取得して利用者に提示する。イベントサーバ２は、イベントに関する情報を配信するウェブサイトを提供するサーバであって、利用者は、インターネットを介してこのウェブサイトにアクセスすることにより、特定のイベントその他の情報を取得することができる。なお、「イベントサーバ」という名称は、イベントに関する情報を配信しているサーバという意味であって、各種情報を提供する一般的なサーバと異なるものではない。ＳＮＳサーバ３は、特定のＳＮＳ（ソーシャル・ネットワーキング・サービス）を提供するサーバであって、利用者は、このＳＮＳサーバ３が提供しているウェブサイトのＡＰＩ（アプリケーション・プログラミング・インタフェース）にアクセスすることにより、写真等の画像を含む各種の情報を取得することができる。
【００２５】
図２は、携帯端末装置１の詳細構成を示す図である。携帯端末装置１は、一般にスマートフォンと称されるものであって、インターネット接続機能を有し、利用者が好きなときに操作してイベントに関する情報を取得することができる。
【００２６】
図２に示すように、携帯端末装置１は、制御部１０、操作部３０、タッチパネル３２、入力制御部３４、表示処理部４０、表示部４２、デジタル−アナログ変換器（Ｄ／Ａ）５０、スピーカ５２、マイクロホン５４、アナログ−デジタル変換器（Ａ／Ｄ）５６、ＧＰＳ（Global Positioning System）受信機６０、メモリ７０、電話処理部８０、ＵＳＢ（Universal Serial Bus）インタフェース部（ＵＳＢ  Ｉ／Ｆ）９０を備えている。
【００２７】
制御部１０は、携帯端末装置１の全体を制御するためのものであり、ＣＰＵ、ＲＡＭ、ＲＯＭなどを含んで構成され、ＲＡＭやＲＯＭに格納されたプログラムやメモリ７０に格納されたイベント情報提示プログラムをはじめとする各種のアプリケーションプログラムを実行することによりコンピュータとしての各種の動作を行う。
【００２８】
操作部３０は、利用者による各種操作を受け付けるためのものであり、各種のスイッチや操作つまみ等が備わっている。タッチパネル３２は、表示部４２の画面に重ねて配置されており、利用者の指が接触した画面上の位置を検出する。このタッチパネル３２としては、例えば静電容量式のタッチパネルが用いられるが、その他の方式（抵抗膜方式等）のタッチパネルを用いるようにしてもよい。入力制御部３４は、操作部３０およびタッチパネル３２の操作状態を監視し、利用者による入力内容を検出する。
【００２９】
表示処理部４０は、各種の操作画面や入力画面等を表示する映像信号を出力して表示部４２にこれらの画面を表示する。表示部４２は、ＬＣＤ（液晶表示装置）等で構成されており、操作部３０やタッチパネル３２を用いた操作内容や制御部１０による制御内容および処理内容などが表示される。
【００３０】
デジタル−アナログ変換器５０は、携帯端末装置１を電話機として使用した際の着信音声データ等をアナログ信号に変換してスピーカ５２から出力する。マイクロホン５４は、利用者が発声した音声を集音する。集音した音声は、アナログ−デジタル変換器５６によってデジタルデータに変換される。
【００３１】
ＧＰＳ受信機６０は、複数のＧＰＳ衛星から送信される信号を受信し、携帯端末装置１の現在位置を示す測位データを所定の時間間隔で出力する。
【００３２】
メモリ７０は、上述したようにイベント情報提示プログラムや各種のアプリケーションプログラムを格納するとともに、携帯端末装置１の所有者である利用者の住所情報や、利用者の趣味や嗜好を知るための趣味・嗜好情報を格納する。なお、この趣味・嗜好情報は、最も簡単には利用者自身によって入力された趣味や嗜好を示す情報に基づいて作成する場合の他、インターネット接続時に利用者が閲覧している情報に基づいて作成したり、本発明によって利用者に提供される「提案情報」の履歴に基づいて作成したり、これらを組み合わせて作成することが考えられる。
【００３３】
電話処理部８０は、携帯電話機としての処理を行う。例えば、電話処理部８０は、基地局との間で発着信処理を行って通話処理やインターネット接続処理等を行う。
【００３４】
ＵＳＢインタフェース部９０は、ＵＳＢデバイス（ターゲット）としての携帯端末装置１とＵＳＢホストとしての車載装置４との間で接続線としてのＵＳＢケーブルを介して信号の入出力を行うためのものであり、ＵＳＢターゲットコントローラを含んでいる。なお、携帯端末装置１と車載装置４は、その他の有線あるいは無線接続を行うようにしてもよい。
【００３５】
また、上述した制御部１０は、インターネット処理部１１、イベント情報取得部１２、イベント情報選択部１３、イベント特定情報抽出部１４、追加情報取得部１５、提案情報提供部１６、現在位置検出部１７、移動方向・目的地取得部１８、趣味・嗜好特定部１９、イベント開催場所送信部２０を有する。
【００３６】
インターネット処理部１１は、インターネット接続用アプリケーションを実行することにより実現される。このインターネット処理部１１は、ウェブブラウザの機能を有し、電話処理部８０を用いてインターネット接続を行って、イベントサーバ２やＳＮＳサーバ３などの各種のサーバが提供するウェブサイトにアクセスし、これらのウェブサイトを介して各種のサーバとの間でデータの送受信を行う。
【００３７】
イベント情報取得部１２は、インターネット上に存在するテキスト情報を解析してイベント情報を取得する。例えば、イベント情報取得部１２は、検索エンジンを用いて大まかなイベント名、開催日時、開催場所などを指定することにより検索を行うことにより、テキストデータからなるイベント情報を取得する。この取得したイベント情報には、正確なイベント名、開催日時、開催場所、料金などが含まれる。なお、この取得動作は、特定のウェブサイトのＡＰＩにアクセスして行うのではなく、ＡＰＩの有無に関係なく多くのウェブサイトを対象に行われる。
【００３８】
イベント情報選択部１３は、イベント情報取得部１２によって取得した複数のイベント情報の中から所定の選択条件を用いて一部のイベント情報を選択する。選択条件の具体例については後述する。
【００３９】
イベント特定情報抽出部１４は、イベント情報取得部１２によって取得され、イベント情報選択部１３によって選択されたイベント情報に基づいて、開催されるイベントを特定するイベント特定情報を抽出する。例えば、取得したイベント情報に基づいて、イベント毎の正確なイベント名、開催日時、開催場所などがわかるため、これらが「イベント特定情報」として抽出される。
【００４０】
追加情報取得部１５は、イベント特定情報抽出部１４によって抽出されたイベント特定情報を指定して、ＳＮＳサーバ３によって提供される特定のウェブサイトのＡＰＩにアクセスすることにより、イベントに対応する写真等の画像を含む追加情報を取得する。ここで取得する画像としては、ＡＰＩを用いて取得することで、イベントと関係がない広告等の写真やその他の画像を排除することができる。
【００４１】
提案情報提供部１６は、イベント情報取得部１２によって取得され、イベント情報選択部１３によって選択されたイベント情報と、追加情報取得部１５によって取得した追加情報（写真等）を用いて提案情報を作成し、利用者に提供する。
【００４２】
現在位置検出部１７は、ＧＰＳ受信機６０から出力される測位データに基づいて携帯端末装置１の現在位置を検出する。
【００４３】
移動方向・目的地取得部１８は、車載装置４からこの車載装置４が搭載された車両の移動方向あるいはこの車両の移動先となる目的地を示す移動方向・目的地データが送られてきたときにこのデータを取得する。
【００４４】
趣味・嗜好特定部１９は、メモリ７０に格納されている趣味・嗜好情報に基づいて、利用者の趣味あるいは嗜好を特定する。
【００４５】
イベント開催場所送信部２０は、提案情報提供部１６によって提供された提案情報に対応するイベントの開催場所を示す位置情報を、携帯端末装置１が接続された車載機４に向けて送信する。
【００４６】
上述したイベント情報取得部１２がイベント情報取得手段に、イベント特定情報抽出部１４がイベント特定情報抽出手段に、追加情報取得部１５が追加情報取得手段に、提案情報提供部１６が提案情報提供手段に、イベント情報選択部１３がイベント情報選択手段に、趣味・嗜好特定部１９が趣味・嗜好特定手段に、それぞれ対応する。
【００４７】
図３は、車載装置４の詳細構成を示す図である。図３に示すように、車載装置４は、ナビゲーション処理部１１０、ＴＶチューナ処理部１１４、ラジオチューナ処理部１１６、ＡＶ処理部１１８、操作部１２０、タッチパネル１２４、入力制御部１２６、表示処理部１３０、表示装置１３２、デジタル−アナログ変換器（Ｄ／Ａ）１４０、スピーカ１４２、制御部１５０、ハードディスク装置（ＨＤＤ）１７０、ＵＳＢインタフェース部（ＵＳＢ  Ｉ／Ｆ）１８０を備えている。
【００４８】
ナビゲーション処理部１１０は、ハードディスク装置１７０に記憶されている地図データを用いて車載装置１が搭載された車両の走行を案内するナビゲーション動作を行う。自車位置を検出するＧＰＳ装置１１２とともに用いられ、車両の走行を案内するナビゲーション動作には、自車位置周辺の地図表示や、目的地を指定した経路探索・誘導のほかに周辺施設を検索して表示する動作などが含まれる。なお、自車位置検出は、ＧＰＳ１１２の他にジャイロセンサや車速センサ等の自律航法センサを組み合わせて用いるようにしてもよい。
【００４９】
操作部１２０は、利用者による各種操作を受け付けるためのものであり、各種のスイッチや操作つまみ等が備わっている。タッチパネル１２４は、表示装置１３２の画面に重ねて配置されており、利用者の指が接触した画面上の位置を検出する。入力制御部１２６は、操作部１２０およびタッチパネル１２４の操作状態を監視し、利用者による入力内容を検出する。
【００５０】
表示処理部１３０は、各種の操作画面や入力画面等を表示する映像信号を出力して表示装置１３２にこれらの画面を表示するとともに、ＴＶチューナ処理部１１４によって受信した放送信号に対応する映像画面やＡＶ処理部１１８によって再生した映像画面等を表示する映像信号を出力して表示装置１３２にこれらの画面を表示する。表示装置１３２は、運転席と助手席の中央前方に設置されており、例えば液晶表示装置（ＬＣＤ）を用いて構成されている。
【００５１】
デジタル−アナログ変換器１４０は、ナビゲーション処理部１１０、ＴＶチューナ処理部１１４、ラジオチューナ処理部１１６、ＡＶ処理部１１８のそれぞれの処理によって生成される音声データや音楽データをアナログの音声信号に変換してスピーカ１４２から出力する。
【００５２】
制御部１５０は、車載装置４の全体を制御するためのものであり、ＲＯＭやＲＡＭなどに格納された所定のプログラムをＣＰＵで実行することにより実現される。ＵＳＢインタフェース部１８０は、ＵＳＢケーブルを介して携帯端末装置１などとの間で信号の入出力を行うためのものである。このＵＳＢインタフェース部１８０には、ＵＳＢポートやＵＳＢホストコントローラが含まれる。
【００５３】
また、上述した制御部１５０は、目的地設定部１５１、移動方向判定部１５２、移動方向・目的地送信部１５３、イベント開催場所受信部１５４を有する。
【００５４】
目的地設定部１５１は、ナビゲーション処理部１１０において経路探索処理を行う際の目的地を設定する。施設検索によって抽出された施設を目的地として設定したり、携帯端末装置１のイベント開催場所送信部２０から送られてくるイベントの開催場所を目的地として設定する場合などが考えられる。
【００５５】
移動方向判定部１５２は、車載装置４が搭載された車両の移動方向を判定する。例えば、目的地までの走行経路が設定されている場合には正確な移動方向がわかるが、この走行経路が設定されていない場合には車両前方の大まかな範囲（例えば、車両正面に対して左右９０°の範囲など）が移動方向として判定される。
【００５６】
移動方向・目的地送信部１５３は、目的地設定部１５１によって設定された目的地（目的地が携帯端末装置１から送られてきたイベント開催場所の場合は除く）や、移動方向判定部１５２によって判定された移動方向を含む移動方向・目的地データを携帯端末装置１に向けて送信する。
【００５７】
イベント開催場所受信部１５４は、イベント開催場所送信部２０によって携帯端末装置１から送られてくるイベントの開催場所を示す位置情報を受信する。
【００５８】
本実施形態のイベント情報取得システムはこのような構成を有しており、次に、その動作を説明する。
【００５９】
図４は、携帯端末装置１においてイベントに関する情報を取得して提案情報を提供するまでの動作手順を示す流れ図である。
【００６０】
最初に、イベント情報取得部１２は、イベント名、開催日時、開催場所などを大まかに指定してインターネット上で検索を行い（ステップ１００）、テキストからなるイベント情報を検索結果として取得する（ステップ１０２）。なお、ステップ１００における検索は、趣味・嗜好特定部１９によって特定された利用者の趣味あるいは嗜好を考慮して行うことが望ましい。例えば、趣味が「釣り」の場合には、大まかなイベント名として「釣り」を指定することが考えられる。これにより、利用者が行きたいと思う可能性が高いイベントの情報を取得し、利用者が興味がわくイベントについて提案情報を提供することが可能となる。
【００６１】
次に、イベント特定情報抽出部１４は、イベント情報取得部１２によって取得したイベント情報に基づいて、開催されるイベントを特定するイベント特定情報を抽出する（ステップ１０４）。例えば、正確なイベント名、開催日時、開催場所などが「イベント特定情報」として抽出される。また、追加情報取得部１５は、抽出されたイベント特定情報を指定してＳＮＳサーバ３のウェブサイトのＡＰＩにアクセスすることにより、イベントに対応する写真等の画像を含む追加情報を検索し（ステップ１０６）、取得する（ステップ１０８）。
【００６２】
次に、提案情報提供部１６は、イベント情報取得部１２によって取得されたイベント情報と、追加情報取得部１５によって取得した追加情報を用いて提案情報を作成し（ステップ１１０）、利用者に提供する（ステップ１１２）。このようにして、イベントに関する情報を取得して提案情報を提供するまでの一連の動作が終了する。
【００６３】
図５は、提案情報の表示例を示す図である。この提案情報は、表示部４２に表示することで、利用者に提示される。図５に示す提案情報には、イベント名、日付（イベント開催日）、時間（イベント開催時間）、料金（利用料金あるいは参加料金）、場所（イベント開催場所）、所要時間（現在位置からの所要時間）、撮影日時が付された写真が含まれている。なお、この中で、「所要時間」は現在位置検出部１７によって検出された現在位置からイベント開催場所までの直線距離に基づいて概略的な時間を算出することができるが、携帯端末装置１に地図アプリをインストールして現在位置からイベント開催場所までの走行経路を経路探索処理で算出することで正確な所要時間を得るようにしてもよい。
【００６４】
このように、本実施形態の携帯端末装置１では、広くインターネット上に存在するイベント情報を取得した後、このイベント情報に基づいてイベントを特定し、さらに特定のウェブサイト（ＳＮＳサーバ３）を指定することにより、特定したイベントに対応する画像をこの特定のウェブサイトから取得することが容易となる。画像取得の対象となるウェブサイトを限定（必ずしも１つである必要はない）することにより、広告等の有用でない画像を排除することが容易になるため、インターネットを介して画像を含む有用なイベント情報を利用者に提供することが可能となる。また、インターネット上に存在する多くのウェブサイト毎に個別のプログラムを作成する必要がなく、確実に、関連する画像を含むイベント情報を取得することができる。
【００６５】
特に、ＡＰＩが用意されたウェブサイトの場合には、利用者に提供するイベント関連の写真等が用意されていることが多いため、このようなウェブサイトから追加情報を取得することにより、確実にイベントに対応する写真等の画像を取得することが可能になる。特に、ＳＮＳを提供するウェブサイトの場合には、第三者が投稿したイベント関連の写真等が広く公開されているため、このようなウェブサイトから追加情報を取得することにより、確実にイベントに対応する写真等の画像を取得することが可能になる。
【００６６】
なお、本発明は上記実施形態に限定されるものではなく、本発明の要旨の範囲内において種々の変形実施が可能である。例えば、上述した実施形態では、イベント情報を取得（図４のステップ１０２）した後、この取得したイベント情報を用いてイベント特定情報の抽出（図４のステップ１０４）を行ったが、ステップ１０２で取得したイベント情報の数が多い場合には、イベント特定情報の抽出を行う前に、所定の選択条件を用いて一部のイベント情報を選択するようにしてもよい。
【００６７】
図６は、イベント情報を選択する変形例の動作手順を示す流れ図である。図６に示す動作手順は、図４に示した動作手順に対して、ステップ１０２とステップ１０４の間にステップ１０３を追加した点が異なっている。以下では、この追加したステップ１０３に着目して説明を行う。
【００６８】
イベント情報取得部１２によるイベント情報の取得（ステップ１０２）が終了した後、イベント情報選択部１３は、取得したイベント情報の中から所定の選択条件を用いて一部のイベント情報を選択する（ステップ１０３）。その後、ステップ１０４に移行してイベント特定情報の抽出が行われる。
【００６９】
ところで、ステップ１０３においてイベント情報選択部１３によってイベント情報を選択する方法としては、以下に示すいくつかの方法が考えられる。
【００７０】
（１）イベント情報選択部１３は、イベントの開催日時を限定してイベント情報の選択を行う。これにより、利用可能な日時に開催されるイベントについて、利用者に提案情報を提供することが可能となる。
【００７１】
（２）イベント情報選択部１３は、利用者の現在位置（現在位置検出部１７によって検出される現在位置）または登録された住所（メモリ７０に格納されている住所情報）に基づいてイベント情報の選択を行う。例えば、現在位置や登録住所を中心として半径○○ｋｍ以内で開催されるイベントを選択したり、現在位置や登録住所が含まれる行政区域（市町村など）で開催されるイベントを選択する場合が考えられる。これにより、利用可能な場所で開催されるイベントについて、利用者に提案情報を提供することが可能となる。
【００７２】
（３）イベント情報選択部１３は、利用者が搭乗している車両の移動方向または移動の目的地（これらの情報は移動方向・目的地取得部１８によって取得したものが用いられる）に基づいてイベント情報の選択を行う。例えば、現在位置から移動方向の所定範囲に含まれるイベントを選択したり、目的地を中心とした所定範囲や目的地が含まれる行政区域で開催されるイベントを選択する場合が考えられる。これにより、車で行くことができるイベントについて、利用者に提案情報を提供することが可能となる。
【００７３】
（４）イベント情報選択部１３は、料金（参加料金あるいは利用料金）が所定金額以下のイベントに限定してイベント情報の選択を行う。これにより、無料あるいは出費が少ないイベントについて、利用者に提案情報を提供することが可能となる。
【００７４】
（５）イベント情報選択部１３は、上記の（１）から（４）の少なくとも２つを組み合わせてイベント情報の選択を行う。
【００７５】
このように、取得した多くのイベント情報の中からイベント情報選択部１３によって適宜選択して、厳選した提案情報を利用者に提供することが可能となる。
【００７６】
また、上述した実施形態では、携帯端末装置１においてイベントに関する提案情報を利用者に提供するまでの動作について説明したが、提案情報提供部１６によって提供された提案情報に対応するイベントの開催場所を示す位置情報を、この位置情報に対応する目的地までの走行経路に沿って車両の走行を案内するナビゲーション動作を行う車載機４に向けて送信するようにしてもよい。
【００７７】
図７は、車載機４にイベントの開催場所を示す位置情報を送信する変形例の動作手順を示す流れ図である。図７に示す動作手順は、図４に示した動作手順に対して、ステップ１１２の次にステップ１１４を追加した点が異なっている。以下では、この追加したステップ１１４に着目して説明を行う。
【００７８】
利用者に提案情報が提供（ステップ１１２）された後に、イベント開催場所送信部２０は、この提案情報に含まれるイベント開催場所を示す情報を車載機４に向けて送信する（ステップ１１４）。この情報を受信した車載機４では、自動的に、あるいは、利用者の操作指示に応じて、このイベント開催場所を目的地設定部１５１によって目的地に設定して経路探索・誘導が行われる。これにより、提案情報の提供を受けた利用者は、複雑な操作（例えば、提案情報を見ながら車載機にイベントの住所等を入力する操作など）を行うことなく、イベントの開催地に向けて車両を走らせることが可能となる。
【００７９】
また、上述した実施形態では、追加情報として取得した写真等の画像が含まれる提案情報を利用者に提示したが、イベントの開催が複数回繰り返されており、追加情報に含まれる画像が写真であって、この写真が、今回開催されるイベントよりも古い前回以前のイベントに対応して撮影されたものである場合に、その旨が利用者にわかるよう提案情報の提供を行うようにしてもよい。例えば、図５に示した提案情報の具体例では写真の下部に撮影日時を加えたが、さらに、「この写真は前回以前の古いものです」の文字列を加えるようにしてもよい。これにより、古い写真しか入手できなかった場合に、利用者が最新の写真と勘違いすることを防止することができる。
【００８０】
また、上述した実施形態では、ＳＮＳサーバ３から写真等の図形を含む追加情報を取得するようにしたが、ＳＮＳサーバ３以外のサーバであって、ＡＰＩが用意された特定のサーバ、あるいは、ＡＰＩが用意されていない特定のサーバから追加情報を取得するようにしてもよい。
【００８１】
また、上述した実施形態では、追加情報として写真等の図形が含まれる追加のイベント情報を取得する場合について説明したが、写真等が含まれない追加のイベント情報を取得する場合について本発明を適用するようにしたもよい。
【００８２】
また、上述した実施形態では、携帯端末装置１においてイベントに関する提案情報を利用者に提供するまでの動作について説明したが、携帯端末装置１と同等の機能を車載装置４に持たせ、イベントに関する提案情報を利用者に提供するまでの一連の動作を車載装置４で行うようにしてもよい。あるいは、室内等に設置されたパーソナルコンピュータなどによって提案情報を利用者に提供するまでの一連の動作を行うようにしてもよい。
【産業上の利用可能性】
【００８３】
上述したように、本発明によれば、広くインターネット上に存在するイベント情報を取得した後、このイベント情報に基づいてイベントを特定し、さらに特定のウェブサイトを指定することにより、特定したイベントに対応する画像をこの特定のウェブサイトから取得することが容易となる。特に、画像取得の対象となるウェブサイトを限定することにより、広告等の有用でない画像を排除することが容易になるため、インターネットを介して画像を含む有用なイベント情報を利用者に提供することが可能となる。
【符号の説明】
【００８４】
１  携帯端末装置
２  イベントサーバ
３  ＳＮＳサーバ
４  車載装置
１０  制御部
１１  インターネット処理部
１２  イベント情報取得部
１３  イベント情報選択部
１４  イベント特定情報抽出部
１５  追加情報取得部
１６  提案情報提供部
１７  現在位置検出部
１８  移動方向・目的地取得部
１９  趣味・嗜好特定部
２０  イベント開催場所送信部
３０  操作部
３２  タッチパネル
４２  表示部
７０  メモリ
【図１】
0006659429.tif 000002
【図２】
0006659429.tif 000003
【図３】
0006659429.tif 000004
【図４】
0006659429.tif 000005
【図５】
0006659429.tif 000006
【図６】
0006659429.tif 000007
【図７】
0006659429.tif 000008